(57)【要約】【課題】強固にフレーム材を取り付けて天井材や断熱材を支持させることができる建築物の外装構造を提供する。【解決手段】本発明の建築物の外装構造は、形鋼からなる躯体７上にタイトフレーム４を固定して外装材６を敷設する建築物の外装構造において、躯体７の上フランジ７１に、縦片部１１を備える吊り金具１を吊り下げ固定し、前記縦片部１１にウエブ部２１の下端にフランジ部２２を備える取付金具２を取り付け、前記取付金具２，２間に断熱材３を架設してなることを特徴とする。【選択図】図１
2010185220.tif 000002
【特許請求の範囲】
【請求項１】
形鋼からなる躯体上にタイトフレームを固定して外装材を敷設する建築物の外装構造において、
躯体の上フランジに、縦片部を備える吊り金具を固定し、前記縦片部にウエブ部の下端にフランジ部を備える取付金具を取り付け、前記取付金具間に断熱材を架設してなることを特徴とする建築物の外装構造。
【請求項２】
取付金具は、ウエブ部の上端に少なくとも左右方向の何れか一方を向く上フランジ部を有することを特徴とする請求項１に記載の建築物の外装構造。
【請求項３】
取付金具のウエブ部は、隙間を介して対向する２片の縦片にて形成され、吊り金具の縦片部が前記ウエブ部の隙間に位置するように取り付けることを特徴とする請求項１又は２に記載の建築物の外装構造。
【発明の詳細な説明】
【技術分野】
【０００１】
本発明は、強固にフレーム材を取り付けて天井材や断熱材を支持させることができる建築物の外装構造に関する。
【背景技術】
【０００２】
従来、母屋と呼ばれる構造材の上面にタイトフレームと称される支持部材を取り付けて金属製の縦葺き屋根板を敷設し、縦波状の屋根構造を構築する施工法が知られている。
この屋根構造は、全体厚み（高さ）が薄く、比較的施工が容易であるという利点を有しているが、構造材である形鋼に天井材や断熱材などを配設するためには、多種類の取付部材が必要であるため、部材管理の面で面倒となり、部材数が増加することで当然作業の手間もかかっていた。
【０００３】
例えばＩ（Ｈ）形鋼からなる構造材に、天井材を取り付ける場合には、上方に係止クリップ、下方に固定座板を形成した吊り金具を用い、構造材の上フランジに係止クリップを係止させ、固定座板を断面ハット状のフレーム材の頂部に固定した構造が提案されている（特許文献１）。
そして、この構造では、断面ハット状のフレーム材は、構造材の下フランジに端部が載置されて構造材と直交するように取り付けられ、隣接するフレーム材間には天井材が配され、該フレーム材の左右の鍔部上には天井材が載置され、天井材の表面を押さえる押さえ材をフレーム材の頂部に跨らせて固定した構造である。
【先行技術文献】
【特許文献】
【０００４】
【特許文献１】特許第２９６３８２５号公報
【発明の概要】
【発明が解決しようとする課題】
【０００５】
しかしながら、前記特許文献１では、天井材の取付安定性は、フレーム材や押さえ材、吊り金具に依存しており、特に吊り金具とフレーム材との連結は、切り起こし片を挿通させて倒し込んで吊り下げ固定している構造であるため、強固な取付安定性が得られなかった。
【０００６】
そこで、本発明は、前述の従来方法（構造）における問題を生ずることがなく、強固にフレーム材を取り付けて天井材や断熱材を支持させることができる建築物の外装構造を提供することを目的とする。
【課題を解決するための手段】
【０００７】
本発明は、上記に鑑み提案されたもので、形鋼からなる躯体上にタイトフレームを固定して外装材を敷設する建築物の外装構造において、躯体の上フランジに、縦片部を備える吊り金具を吊り下げ固定し、前記縦片部にウエブ部の下端にフランジ部を備える取付金具を取り付け、前記取付金具間に断熱材を架設してなることを特徴とする建築物の外装構造に関するものである。
【０００８】
さらに、本発明は、上記外装構造において、取付金具は、ウエブ部の上端に少なくとも左右方向の何れか一方を向く上フランジ部を有することを特徴とする建築物の外装構造をも提案する。
【０００９】
また、本発明は、上記外装構造において、取付金具のウエブ部は、隙間を介して対向する２片の縦片にて形成され、吊り金具の縦片部が前記ウエブ部の隙間に位置するように取り付けることを特徴とする建築物の外装構造をも提案する。
【発明の効果】
【００１０】
本発明の建築物の外装構造は、躯体（形鋼）の上フランジに吊り下げ固定した吊り金具の縦片部に取付金具のウエブ部を強固に取り付けることができ、該取付金具間に落とし込むだけで容易に断熱材を架設することができる。
【００１１】
また、取付金具に、少なくとも左右方向の何れか一方を向く上フランジ部を設けた場合には、取付金具自体の曲げ耐性が強くなり、さらに上フランジ部が断熱材の端縁上端を押さえる作用を行うため、断熱材の取り付け安定性が向上する。
【００１２】
また、取付金具のウエブ部が隙間を介して対向する２片の縦片にて形成される場合には、吊り金具の縦片部が前記ウエブ部の隙間に位置するように取り付けることができ、より容易に且つ安定に取付金具を取り付けることができる。
【図面の簡単な説明】
【００１３】
【図１】（ａ）本発明の外装構造の一実施例を示す要部の正面図、（ｂ）その側面図である。
【図２】（ａ）図１の外装構造に用いた取付金具の正面図、（ｂ）断熱材の取付強度を向上する支持具の正面図、（ｃ）その施工状態を示す正面図、（ｄ）その側面図、（ｅ）吊り金具の躯体への吊り下げ固定状態を示す正面図、（ｆ）吊り金具の斜視図、（ｇ）吊り金具の縦片部への取付金具の配設状態を示す側面図である。
【図３】（ａ）図１の外装構造に用いた外装材の正面図、（ｂ）キャップ材の正面図、（ｃ）保持部材の分解正面図、（ｄ）その分解側面図である。
【図４】（ａ）本発明の別の一実施例を示す要部の正面図、（ｂ）その側面図である。
【図５】（ａ）図４の外装構造に用いた取付金具の正面図、（ｂ）支持具の正面図、（ｃ）補強板材の正面図、（ｄ）取付金具の施工状態を示す正面図、（ｅ）その側面図、（ｆ）吊り金具の躯体への吊り下げ固定状態を示す正面図、（ｇ）吊り金具の斜視図、（ｈ）吊り金具の縦片部への取付金具の配設状態を示すの側面図である。
【発明を実施するための形態】
【００１４】
本発明の外装構造は、母屋と呼ばれる構造材（躯体）上にタイトフレームを取り付けて金属製の縦葺き屋根板等の縦葺き外装材（以下、外装材という）を敷設して縦波状の屋根構造を構築する構造に適用されるものであって、前記躯体は、Ｉ（Ｈ）型等の形鋼からなる。
【００１５】
また、本発明の外装構造に用いられる吊り金具は、躯体の上フランジに吊り下げ固定されるものであって、長さ方向と直交する方向に縦片部を有する構成であれば特にそれ以外の構成を限定するものではない。
【００１６】
前記吊り下げ固定するための構成としては、後述する図示実施例のように、側方が開放する横溝に躯体の上フランジを位置させ、この状態でボルトの先端を上フランジに強固に押し当てて固定する方法（構造）を採るようにしてもよいし、特にこのような態様に限定するものではない。
【００１７】
また、本発明の外装構造に用いられる取付金具は、ウエブ部の下端に左右方向に延出するフランジ部を備える構成であれば特にそれ以外の構成を限定するものではない。例えばウエブ部の上端に少なくとも左右方向の何れか一方を向く上フランジ部を有する構成でもよく、その場合、取付金具自体の曲げ耐性が強くなり、さらに上フランジ部が断熱材の端縁上端を押さえる作用を行うため、断熱材の取り付け安定性が向上する。さらに、ウエブ部は、隙間を介して対向する２片の縦片にて形成される構成でもよく、その場合には、この隙間を補強板材を介在させる空間として用いることもできるし、前記吊り金具の縦片部を位置させる空間として用いてもよい。
すなわち前記ウエブ部は、単層板状に形成してもよいし、二重縦片状で隙間を有する構成としてもよく、前記隙間は、広くとも吊り金具の縦片部や補強板材などを挿入できる程度の幅が望ましい。
【００１８】
また、前記ウエブ部には開口部を形成してもよく、この開口部としては、楕円形、円形等どのような形状でもよく、適宜間隔で設ければよい。また、この開口部は、断熱材を支持したり取付強度を向上するための支持具を取り付ける取付孔として用いてもよいし、照明や太陽電池等の電気配線、その他の配線・配管などを通すようにしてもよい。
また、前記上フランジ部は、左右の両方に延出するものが望ましく、断熱材の端縁上端を押さえ支持するが、支持を安定にする構成を付加してもよい。
【００１９】
そして、この取付金具は、複数の軽量型鋼を溶接やボルト締め等により一体に形成したものでもよいし、軽量型鋼そのものを用いてもよいし、或いはアルミの押出成形体でもよいし、或いは後述する図示実施例のように亜鉛メッキ鋼板等の一枚の金属板材を折り曲げ加工して成形したものでもよい。
【００２０】
隣接する取付金具間に架設される断熱材は、特にその構成を限定するものではない。例えば単なるボード状でもよいし、木毛セメント板や発泡ポリスチレン等からなる吸音、遮音、防耐火、マイナスイオン発生等の特性を併せ持つ板状断熱材でもよく、これらの複数を適宜に組み合わせて用いてもよいし、これらを一体的に支持するワイヤー、ジョイナー等の支持材を含めて断熱材と総称する。パンチングメタルや金属メッシュ等をロール成形等により適宜に成形して各種の化粧部を備える構成でもよい。
【実施例】
【００２１】
図１に示す外装構造は、Ｉ型形鋼からなる躯体７の上フランジ７１に、吊り金具１を吊り下げ固定し、前記吊り金具１の縦片部１１には、断面略ユ字状の取付金具２を取り付け、前記取付金具２，２間に断熱材３を架設してなる構成である。
【００２２】
前記吊り金具１は、図２（ｅ）〜（ｇ）に示すように一枚の板状鋼材を折り曲げ成形してなる構成であって、二重縦片状の縦片部１１の上端左右に、前後方向の一方が開放する横溝部１２，１２を形成した構成であり、横溝部１２を形成する上辺１３には、孔１３１が形成され、該孔１３１と連通するようにナット１４が溶接され、これらナット１４及び孔１３１を貫通するボルト１５が取り付けられ、その下端が横溝部１２内に臨んでいる。そのため、横溝部１２内に躯体７の上フランジ７１を位置させた状態でボルト１５を締め付けると、ボルト１５の下端が上フランジ７１に当接し、ボルト１５と上フランジ７１、ずなわち吊り金具１と躯体７とが一体状に固定される。
また、この吊り金具１の縦片部１１の略中央には、後述する取付金具と固定するための固定具の取付孔１１１が設けられている。
【００２３】
前記吊り金具１の縦片部１１に取り付ける取付金具２は、図２（ａ）に示すように二重縦片状で隙間２１１を有するウエブ部２１の下端には左右方向に延出するフランジ部（便宜的に以下、下フランジ部という）２２，２２を備え、上端には左方向に延出する上フランジ部２３を備える構成である。
また、前記ウエブ部２１には、横方向に貫通する開口部２１２が図２（ｄ）に示すように適宜間隔で設けられ、該開口部２１２には、図２（ｂ）に示す支持具２Ｂや前記吊り金具１の縦片部１１を固定するための固着具２Ｃが図２（ｃ）、（ｄ）に示すように取り付けられる。
なお、前記支持具２Ｂは、後述する断熱材３の取付強度を向上する短幅のピース材であって、金属メッシュからなる支持材３Ｂの端縁を係止する係止部２４を備える。この係止部２４は、配設時には単なる横片状のフランジであるが、支持材３Ｂの配設に伴ってオーバーハング状に屈曲されて図示する形状となったものである。
【００２４】
前記断熱材３は、単なるボード状であって、その下方に配される金属メッシュからなる支持材３Ｂを含めて断熱材と称する。図示実施例における断熱材３としては、前記取付金具２の高さとほぼ等しい厚みのものを用いた。そのため、前記取付金具２の上フランジ部２３にて断熱材３の端縁上端を押さえる作用が果たされる。
【００２５】
前記タイトフレーム４は、図３（ａ）に示すように略門型の枠体であって、略中央の横片状の連結部４１から左右に脚部４２，４２を有し、各脚部４２の下端に下面が前記吊り金具１と接する固定部４３が設けられている。そして、前記連結部４１には、前面及び後面が対向する断面略Ｕ字状の受支材５がボルトナットにて留め付けられて保持部材を構成している。
【００２６】
前記タイトフレーム４は、例えば短幅の帯状鋼材を折り曲げ成形してなる枠体であり、前記受支材５は、略垂直状に起立する受支面５０，５０を前後に有するピース材である。
そして、受支材５の各受支面５０の下方には、左右に張り出した部分が形成され、その下方が後述する外装材６の凸状嵌合部６３１が嵌合する被嵌合部５１である。また、受支面５０の上縁を前後方向に折り曲げて支持部（面）５２とし、後述する外装材６の被覆嵌合部６３２の被嵌状の保持を安定に行えるようにしている。さらに、この受支面５０の略中央上端には、前記外装材６の断面略Ｕ字状の係合部６３３を上方から嵌合可能な矩形状の溝部５０１が設けられている。
【００２７】
前記外装材６は、図３（ｃ）に示すように略平坦状の面板部６１の左右の側縁に左右対称の傾斜状の立ち上げ部６２，６２を有する構成であり、この立ち上げ部６２には、前記保持部材（４，５）に嵌合状に取り付けるための成形部６３が設けられている。具体的には成形部６３には、面板部６１側の高さの途中のみに、保持部材の被嵌合部５１に嵌合保持される略く字状の凸状嵌合部６３１を備え、該凸状嵌合部６３１の上方に、保持部材の受支材５に被覆状に嵌合保持される被覆嵌合部６３２を備え、さらに被覆嵌合部１３２の先端には、保持部材の受支材５の略中央上端に形成された溝部５０１に上方から嵌合状に係合させる断面略Ｕ字状の係合部６３３を有する構成である。なお、前記凸状嵌合部６３１は、外側へ突出する形状を有するが、その裏面側の凹状嵌合受部６３４に後述するキャップ材８の折返し部８２が嵌合する構成である。
【００２８】
この外装材６は、代表的には概ね０.４〜１.６mm程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。これらは殆ど長尺なコイル状形態で供給される。そして、上記各種の長尺なコイル状の金属材料を定尺切断する等して、一定幅で所定長さの金属板材を作成し、これを成形材料としたものである。
【００２９】
前記外装材６と共に外装面を形成するキャップ材８は、図３（ｄ）に示すように左右方向に隣接する外装材６，６の成形部６３，６３間に配設されるものであって、前記外装材６と同様な素材から成形されるものであり、略傘状の化粧部８１の左右の側縁に設けた折返し部８２を前記外装材６の凸状嵌合部６３１の裏面（凹状嵌合受部６３４）に嵌合させて取り付けられる。
【００３０】
これらの各部材を用いて図１の外装構造を施工するには、まず躯体７の上フランジ７１に吊り金具１を配設した後、ボルト１５を締め付けて固定する。
次に、固定した吊り金具１の縦片部１１に跨るように上方から取付金具２を配し、ウエブ部２１の隙間２１１に縦片部１１が位置するように配設した状態で、固着具２Ｃを用いて開口部２１２に取り付ける。
この取付金具２の別の開口部２１２には、支持具２Ｂを取り付けておき、この状態で隣接する取付金具２，２の下フランジ部２２，２２上に支持材３Ｂを配設し、この支持材３Ｂの端縁に係止するように支持具２Ｂの下フランジを屈曲して係止部２４で係止させる。
その上に、断熱材３を載置する。
その後、固定した吊り金具１上にタイトフレーム４を固定し、その連結部４１に受支材５をボルトナットで止め付ける。なお、これらのタイトフレーム４と受支材５は予め組み付けて保持部材の状態で吊り金具１上に固定するようにしてもよい。
そして、固定した保持部材に、外装材６を敷設し、キャップ材８を取り付けて外装構造を構築する。
【００３１】
このように施工される本発明の建築物の外装構造は、躯体（形鋼）７の上フランジ７１に吊り下げ固定した吊り金具１の縦片部１１に取付金具２のウエブ部２１を強固に取り付けることができ、該取付金具２，２間に断熱材３を落とし込むだけで容易に架設することができる。そして、躯体７上には、タイトフレーム４を固定して外装材６を敷設することができる。
なお、躯体（形鋼）７上に図示しない連結用のボルトが突出していたとしても、それらを避けて吊り金具１を配置させることができる。
【００３２】
また、図示実施例では、取付金具２に、少なくとも左右方向の何れか一方を向く上フランジ部２３を設けたため、取付金具２自体の曲げ耐性が強くなり、さらに上フランジ２３部が断熱材３の端縁上端を押さえる作用を行うため、断熱材３の取り付け安定性が向上する。
また、図示実施例は、取付金具２のウエブ部２１が隙間２１１を介して対向する２片の縦片にて形成されるため、吊り金具１の縦片部１１が前記ウエブ部２１の隙間２１１に位置するように取り付けることができ、より容易に且つ安定に取付金具２を取り付けることができる。
【００３３】
図４に示す外装構造は、躯体７に取り付ける各部材、吊り金具１、取付金具２、断熱材３、タイトフレーム４、受支材５、外装材６、キャップ材８については、以下に特記する以外の構成については同様であるから、図面に同一符号を付して説明を省略する。
まず、取付金具２に関し、ウエブ部２１の隙間２１１には、図５（ｃ）に示す補強板材２Ｄを介在させるようにしてもよい。
また、吊り金具１の縦片部１１について、前記取付金具２の隙間２１１に位置させるのではなく、図５（ｆ）に示すようにウエブ部２１の側面に沿わせるようにしてもよい。
そして、吊り金具１の縦片部１１と取付金具２のウエブ部２１の固定については、図５（ｈ）に示すようにウエブ部２１内に補強板材２Ｄが介在している位置にて縦片部１１と固定具２Ｃにて固定するようにした。
【符号の説明】
【００３４】
１ 吊り金具
１１  縦片部
１１１  取付孔
１２  横溝部
１３  上辺
１４  ナット
１５  ボルト
２  取付金具
２Ｂ  支持具
２Ｃ  固着具
２Ｄ  補強板材
２１  ウエブ部
２１１  隙間
２１２  開口部
２２  （下）フランジ部
２３  上フランジ部
２４  係止部
３ 断熱材
３Ｂ  支持材
４ タイトフレーム
４１  連結部
４２  脚部
４３  固定部
５  受支材
５０  受支面
５０１  溝部
５１  被嵌合部
５２  支持部（面）
６  外装材
６１ 面板部
６２ 立ち上げ部
６３ 成形部
６３１  凸状嵌合部
６３２  被覆嵌合部
６３３  係合部
６３４  凹状嵌合受部
７  躯体
８  キャップ材
【図１】
2010185220.tif 000003
【図２】
2010185220.tif 000004
【図３】
2010185220.tif 000005
【図４】
2010185220.tif 000006
【図５】
2010185220.tif 000007